(57)【特許請求の範囲】
【請求項１】
少なくとも赤外光を感知することができる第１感光チップと、
前記第１感光チップ上に結像させるための第１レンズ群（１０１、２０１、３０１）と、
前記第１感光チップによって収集された画像を表示するための第１ディスプレイ（１０２、２０２）と、
前記第１感光チップによって収集された画像データを処理するための画像処理システムと、
制御システムとを備え、前記画像処理システムは、デジタルズーム機能を有し、及び／又は、前記第１レンズ群は、光学ズーム機能を有し、
前記制御システムは、前記第１レンズ群の光学ズーム及び前記画像処理システムのデジタルズーム倍率の少なくともいずれか一方を調整することにより、前記第１感光チップの結像範囲を調整するために用いられ、
補助光源及び導光キャビティを含む補助照明モジュール（１０３、２０３、３０３）をさらに備え、
前記補助光源は、少なくとも赤外光を発することができ、前記補助光源によって発された光は、前記導光キャビティを介して放出され、前記導光キャビティは、手動の方式又は前記制御システムによる自動的制御方式で放出光線の照射範囲を調整するための可動調整部材を有し、前記照射範囲は、前記第１感光チップの結像範囲に適合され、
前記導光キャビティの内壁は、反射性を有し、前記導光キャビティは、連通された集光部（１０３３）及び案内管（１０３４）を含み、前記補助光源は、前記集光部内に収容され、前記集光部と連通された前記案内管を介して外部へ光を放出し、前記案内管は、前記可動調整部材として用いられ、その長さが伸縮可能であることを特徴とする暗視装置。
【請求項２】
前記第１レンズ群は、オートフォーカス機能をさらに有し、前記制御システムは、観察対象物の距離及び前記第１レンズ群のズーム倍率により、前記第１レンズ群と前記第１感光チップとの間の焦点距離を自動調整するためにさらに用いられることを特徴とする請求項１に記載の暗視装置。
【請求項３】
前記案内管の伸縮部分（１０３５）内には、第１集光レンズ群（１０３６）が配置され、前記第１集光レンズ群の前方の光路には、第２集光レンズ群（１０３７）がさらに固定されていることを特徴とする請求項１に記載の暗視装置。
【請求項４】
前記案内管の伸縮は、多面体超音波モータによって駆動されていることを特徴とする請求項１〜３のいずれか１項に記載の暗視装置。
【請求項５】
前記第１感光チップと前記第１レンズ群との間に配置され、前記第１レンズ群の光軸に垂直な方向において移動可能な可動式赤外線フィルタをさらに備え、前記第１感光チップは、可視光をさらに感知することができることを特徴とする請求項１に記載の暗視装置。
【請求項６】
少なくとも赤外光を感知することができる第２感光チップと、
第２感光チップ上に結像させるための第２レンズ群（２０５）とをさらに備え、
前記制御システムは、前記第１感光チップ及び前記第２感光チップの結像範囲を同期させて調整し、
前記第１ディスプレイは、第１感光チップ及び第２感光チップによって収集された画像をステレオ画像に合成し且つ表示するためのステレオディスプレイであることを特徴とする請求項１に記載の暗視装置。
【請求項７】
少なくとも赤外光を感知することができる第２感光チップと、
第２感光チップ上に結像させるための第２レンズ群（２０５）とをさらに備え、
前記制御システムは、前記第１感光チップ及び前記第２感光チップの結像範囲を同期させて調整し、
第１ディスプレイ（２０２）は、二次元ディスプレイであり、二次元ディスプレイであり、第２感光チップによって収集された画像を表示するための第２ディスプレイ（２０６）をさらに備えることを特徴とする請求項１に記載の暗視装置。
【請求項８】
ステレオディスプレイであり、前記第１感光チップ及び前記第２感光チップによって収集された画像をステレオ画像に合成し且つ表示するための第３ディスプレイ（２０７）をさらに備え、
ヘッドセットモード及びハンドヘルドモードを有し、ヘッドセットモードでは、前記制御システムは、前記第１ディスプレイ及び前記第２ディスプレイをオンとし、前記第３ディスプレイをオフとし、ハンドヘルドモードでは、制御システムは、前記第１ディスプレイ及び前記第２ディスプレイをオフとし、前記第３ディスプレイをオンとすることを特徴とする請求項７に記載の暗視装置。
【請求項９】
前記制御システムは、前記第１感光チップ及び前記第２感光チップによって収集された画像の間の関係に基づいて、前記暗視装置に対する像点の空間的位置を計算するためにさらに用いられることを特徴とする請求項６〜８のいずれか１項に記載の暗視装置。
【請求項１０】
前記暗視装置自身の位置情報を取得するための衛星測位モジュールをさらに備え、
前記制御システムは、前記暗視装置自身の位置情報及び前記暗視装置に対する像点の空間的位置に基づいて、前記像点の位置情報を計算するためにさらに用いられることを特徴とする請求項９に記載の暗視装置。
【請求項１１】
接続スリーブ（３０８）及び望遠鏡レンズ（３０９）をさらに備え、前記接続スリーブは、前記望遠鏡レンズをレンズ群に接続させてズーム倍率を増加させるために用いられることを特徴とする請求項１に記載の暗視装置。
【請求項１２】
画像の中心点と前記暗視装置との間の距離を測定するためのレーザ距離計をさらに備え、前記レーザ距離計のレーザ放射導管（３１０）は、前記望遠鏡レンズ内に配置され、レーザの光軸は、前記望遠鏡レンズの光軸に平行となっていることを特徴とする請求項１１に記載の暗視装置。
【発明の詳細な説明】
【技術分野】
【０００１】
本発明は、光学技術分野に関し、特に暗視装置に関する。
【背景技術】
【０００２】
暗視装置は、探検、野外探査及び軍事などの分野において幅広く使用されている。
【０００３】
初期の暗視装置において、補助光源を有せず、熱画像形成法が採用され、黒体放射の波長に対する感知によって熱画像が取得され、ディスプレイを介して人の目に見える画像に変換される。この時期の装置は、複雑な冷却方法を用いる必要があり、サイズが大きく、暗視距離が短い。
【０００４】
感光チップ技術及び発光ダイオード（ＬＥＤ）照明技術の発展に伴い、赤外線ＬＥＤを補助光源として用いた暗視装置が登場した。暗視装置として、通常、望遠鏡のレンズが採用され、感光チップに結像し、形成された画像が液晶ディスプレイ（ＬＣＤ）に表示される。補助光源は通常、固定された光抽出構造である。
【発明の概要】
【発明が解決しようとする課題】
【０００５】
暗視装置の画質を改善したい場合には、感光チップの解像度を向上させる必要があり、これにより、感度が低下し、暗視距離が短くなることが一般的である。ズーミングによって暗視距離を拡大する場合、補助光源は対応する照明距離を有する必要があり、これにより、照明エネルギーを増加させるために光の数を増加させる必要があるが、焦点距離が短くなると、エネルギーの無駄が生じる。
【課題を解決するための手段】
【０００６】
本発明に係る暗視装置は、少なくとも赤外光を感知可能な第１感光チップと、前記第１感光チップ上に結像させるための第１レンズ群と、前記第１感光チップによって収集された画像を表示するための第１ディスプレイと、光学ズーム及び／又はデジタルズームによって前記第１感光チップの結像範囲を調整するための制御システムとを備えている。前記暗視装置は、補助光源と導光キャビティとを含む補助照明モジュールをさらに備えている。前記補助光源は、少なくとも赤外光を放射することができ、前記補助光源によって放出された光は、前記導光キャビティを介して放射される。前記導光キャビティは、手動又は制御システムによる自動制御の方式で放出光線の照射範囲を調整するための可動調整部材を有する。当該照射範囲は、前記第１感光チップの結像範囲に適合される。また、前記導光キャビティの内壁は、反射性を有し、前記導光キャビティは、連通された集光部（１０３３）及び案内管（１０３４）を含み、前記補助光源は、前記集光部内に収容され、前記集光部と連通された前記案内管を介して外部へ光を放出し、前記案内管は、前記可動調整部材として用いられ、その長さが伸縮可能である。
【発明の効果】
【０００７】
本発明に係る暗視装置によれば、導光キャビティの可動調整部材を手動又は自動で調整し、補助光源の照射範囲を感光チップの結像範囲に適合させることにより、補助光源のエネルギーは、結像されるべきシーンに充分且つ効果的に利用され、ハードウェアレベル（感光チップの解像度及び補助光源の照明能力）が変更されない場合において、暗視距離及び画質を向上させることができる。
【０００８】
以下、図面と併せて、本発明に係る具体的な実施形態について詳細に説明する。
【図面の簡単な説明】
【０００９】
【図１】実施形態１における暗視装置の正面概略図である。
【図２】実施形態１における暗視装置の背面概略図である。
【図３】実施形態１における補助照明モジュールの１つの構成概略図である。
【図４】実施形態１における補助照明モジュールのもう１つの構成概略図である。
【図５】実施形態２における暗視装置の正面概略図である。
【図６】実施形態２における暗視装置の背面概略図である。
【図７】実施形態３における暗視装置の構成概略図である。
【発明を実施するための形態】
【００１０】
＜実施形態１＞
図１及び図２に示すように、１つの実施形態として、本発明に係る暗視装置は、第１感光チップ、第１レンズ群１０１、第１ディスプレイ１０２、画像処理システム、制御システム及び補助照明モジュール１０３を備えている。第１感光チップ、画像処理システム及び制御システムは、暗視装置の本体１０４内に収容されている。
【００１１】
第１感光チップは、少なくとも赤外光を感知することができる。例えば、通常のデジタルカメラに用いられる通常の高解像度の感光チップを採用してよい。このような感光チップは、赤外光及び可視光を含む広いスペクトル範囲の光を感知することができ、また、その高解像度により、デジタルズームも利用価値を有するようになる。
【００１２】
第１レンズ群は、第１感光チップ上に結像させるために用いられ、固定倍率を有する固定焦点レンズ群であってもよく、拡大倍率が調節可能なズームレンズ群であってもよい。好ましくは、第１レンズ群は、オートフォーカス機能をさらに有してもよい。制御システムは、観察対象物の距離及び第１レンズ群のズーム倍率により、第１レンズ群と第１感光チップとの間の焦点距離を自動調整することができる。
【００１３】
第１ディスプレイは、第１感光チップによって収集された画像を表示するために用いられる。感光チップは、人間の目に見えないか、人間の目に見えにくい赤外光を感知し、且つディスプレイに白黒画像の形態で表示される画像データを生成し、これにより、暗視機能が実現される。実施形態１において、第１ディスプレイは、二次元液晶ディスプレイであってよい。暗視の実現のみに用いられる場合には、白黒ディスプレイを採用すればよい。
【００１４】
画像処理システムは、第１感光チップによって収集された画像データを処理するために用いられる。実施形態１では、画像処理システム及び第１レンズ群の少なくともいずれか一方がズーム機能を有する。ここで、第１レンズ群は、光学ズーム機能を有し、画像処理システムは、デジタルズーム機能を有してよい。もちろん、よく知られているように、画像処理システム又は第１レンズ群は、それぞれが両方のズーム機能を有してもよい。
【００１５】
制御システムは、制御機能を実現するための論理処理装置及びその周辺回路を含み、コマンドを実行することにより暗視装置内の各モジュールを制御することができる。当業者であれば、例えば、感光チップによる画像収集及びディスプレイでの表示を制御し、必要とする部材に対する電源モジュールの給電を制御する等、暗視装置に必要な一般的な制御機能を実現するために、ソフトウェア及びハードウェアをどのように配置するかについて熟知しているであろう。制御システムを構成する部材ユニットは、同一の物理的位置に集中的に配置されてもよく、本体の異なる位置に離散的に配置されてもよい。すべての制御機能は、単一のプロセッサによって達成されてもよく、複数のプロセッサによって共同で達成されてもよい。
【００１６】
実施形態１において、制御システムは、少なくとも光学ズーム倍率又はデジタルズーム倍率の調整を制御する機能を有し、これにより、感光チップの画像形成範囲が調整される。もちろん、光学ズームを使用する場合、第１レンズ群は対応する機能を有する必要があり、デジタルズームを使用する場合、画像処理システムは対応する機能を有する必要がある。制御システムは、光学ズーム及びデジタルズームを同期制御し、感光チップの結像範囲をより大幅に調整することもできる。ここでいう結像範囲は、ディスプレイに表示される有効画像に対応するシーンの範囲を示し、当該範囲のサイズは視野角で表示されてよい。よく知られているように、感光チップの視野角は、焦点距離（光学焦点距離及びデジタル焦点距離を含む）と負の相関関係を有するため、焦点距離が長いほど視野角は小さくなる。
【００１７】
補助照明モジュールは、赤外光を発することができる補助光源、及び、補助光源から発された光をガイドし、且つ当該光を放出するための導光キャビティを含む。本発明に係る導光キャビティは、手動の方式又は制御システムによる自動制御方式で放出光線の照射範囲を調整するための可動調整部材を有する。当該照射範囲は、感光チップの結像範囲に適合される。上記の分析によれば、感光チップは、ズーム倍率に応じた異なる結像範囲（視野角）を有する。従って、補助光源の照射範囲を結像範囲に適合するように調整することにより、補助光源のエネルギーをより有効に利用することができる。ここで、照射範囲が結像範囲に適合されるとは、照射範囲が結像範囲と一致又はほぼ一致することをいう。例えば、ズーム倍率が大きい場合には、視野角の小さい遠距離物体が観察される。遠距離物体がより良好に照明されるように放出された光を適切に集束することができる。ズーム倍率が小さい場合には、視野角の大きい遠距離物体が観察される。観察範囲全体をカバーするために放出された光を適切に発散させることができる。当業者であれば、光路調整に関する既存の知識に基づいて、放出光線の照射範囲を調整するために、異なる可動調整部材を設計して導光キャビティの光学構造を変更することができることを理解するであろう。導光キャビティの構造に対する調整は、可動調整部材を手動で調整することによって実現してもよく、制御システムによりズーム又はオートフォーカスが制御される際に、これと同期させて、現在の焦点距離に基づいて可動調整部材を自動調整することによって実現してもよい。
【００１８】
補助光源は、例えば、赤外線ＬＥＤであってよい。生成された赤外光は、可視赤外光及び不可視赤外光を含む。ここで、可視赤外光とは、通常、波長が８００ｎｍ〜９２０ｎｍの間の赤外光をいい、不可視赤外光とは、波長が９２０ｎｍ以上の赤外光をいう。一部の実施形態では、補助光源は可視光を生成するために用いられてもよい。
【００１９】
ほとんどの実際の用途では、補助照明モジュールとレンズとの横方向（即ち、光軸に垂直な方向）距離が、補助照明モジュールと観察対象物との間の距離より遥かに小さい場合、補助照明モジュールによって放出された光の光軸が感光チップの光軸と一致するとみなしてよい。従って、１つの実施形態では、光の発散角を調整することにより、発散角が異なる焦点距離における感光チップの視野角と一致し、光の照射範囲と結像範囲とのマッチングが実現される。実施形態１における１つの具体的な構造として、図３に示すように、本発明に係る補助照明モジュールは、補助光源として用いられるＬＥＤライトボード１０３１及び導光キャビティを含む。ＬＥＤライトボードには、複数の赤外線ＬＥＤ１０３２が設けられている。導光キャビティの内壁は、反射性を有する。このような反射性は、反射材料を用いて内壁を形成し、又は内壁に反射コーティングを行うことによって実現される。導光キャビティは、互いに連通している集光部１０３３及び案内管１０３４を含む。ＬＥＤライトボードは、集光部内に収容され、集光部と連通している案内管を介して外部へ光を放出する。案内管は、可動調整部材として用いられ、その長さが伸縮可能である。案内管の伸縮部分１０３５は、手動で調整することができる。例えば、伸縮部分は、ネジ連結方式で固定部分と嵌合され、その長さは、手動回転によって調整可能である。別の例として、伸縮部分は、固定部分の内側又は外側に緊密に嵌合され、その長さは、手動で引き出し又は押し込むことによって調整可能である。案内管の伸縮部分は、制御システムによって自動的に制御されてもよい。好ましくは、多面体超音波モータを採用して案内管の伸縮を駆動してよい。本発明に用いられる超音波モータとして、中国特許出願公開第１８７３４５５号明細書（発明の名称「一体化された光学装置のフォーカス／ズームシステム」）に記載の原理及び構造を採用してよい。超音波モータを使用して案内管を駆動することは、高精度、低消費電力及び無騒音などの利点を有する。案内管の固定部分は、超音波モータの固定子として使用されてよい。案内管の伸縮部分は、超音波モータの移動子として使用されてもよく、移動子によって駆動されてもよく、螺旋運動の方式又は径方向に固定された状態で軸方向運動の方式によって伸縮する。制御システムは、超音波モータの回転方向を制御することにより、案内管の伸長又は収縮を制御することができる。明らかに、案内管が伸長すると、放出された光の発散角が減少し、比較的小さい視野角に合致させることができる。案内管が収縮すると、放出された光の発散角が増大し、比較的大きい視野角に合致させることができる。好ましくは、第１レンズ群のオートフォーカスも、多面体超音波モータによって駆動されてよい。
【００２０】
実施形態１におけるもう１つの具体的な構造として、図４に示すように、本発明に係る補助照明モジュールは、図３に示された構造との相違点として、２つの集光レンズ群をさらに含む。第１集光レンズ群１０３６は、案内管の伸縮部分内に配置され、第２集光レンズ群１０３７は、第１集光レンズ群の前方の光路に固定（例えば、集光部と案内管との連通箇所に固定）されている。図３における構造と同様に、案内管の伸縮は、手動又は自動制御方式で同様に実現されてよい。案内管の伸縮運動に伴い、２つのレンズ群の間の相対位置が変化し、それにより、放出光の収束程度が変化する。図３に示された構造と比較すれば、２つのレンズ群がさらに追加されたことにより、光の放出角度を調整する能力が向上し、高性能の補助照明が実現される。
【００２１】
実施形態１において、第１ディスプレイは、白黒ＬＣＤであるが、他の実施形態では、第１ディスプレイは、カラーＬＣＤであってもよく、第１感光チップは、可視光をさらに感知することができる。この場合、暗視装置は、可動式赤外線フィルタをさらに備えてもよい。可動式赤外線フィルタは、第１感光チップと第１レンズ群との間に配置され、第１レンズ群の光軸に垂直な方向において移動可能であり、これにより、光線が適切である場合には、暗視装置は、適用シーンを拡張し、カラー画像を取得するために用いられてもよい。例えば、日中又は光度が十分である場合（制御システムにより測光素子を介して判断されてよい。）には、赤外線フィルタを、感光チップとレンズ群との間に配置されるように制御し、このときの暗視装置は、カラー動作モードに置かれ、カラー画像を取得且つ表示することができる。夜間又は光度不足の場合には、赤外線フィルタを第１レンズ群の光路から移動させ、このときの暗視装置は、赤外線動作モードに置かれ、白黒画像を取得且つ表示することができる。
【００２２】
一部の実施形態では、暗視装置は、感光チップによって収集された画像を保存するための記憶モジュールをさらに含んでよい。例えば、挿抜可能なフラッシュメモリ、ハードディスク及び磁気メモリ等を採用してよい。
【００２３】
一部の実施形態では、暗視装置は、様々な適切な無線通信によって遠隔実体とデータ（例えば、感光チップによって収集された画像又は画像に関する情報等）を伝送するための無線通信モジュールをさらに含んでよい。ここで、無線通信は、２Ｇ／ＧＰＲＳ／３Ｇ／４Ｇ、ＷｉＦｉ、ブルートゥース（登録商標）、２．４Ｇ、ＷｉＭａｘ（登録商標）等標準又は専用通信を含むが、これらに限定されない。
【００２４】
＜実施形態２＞
本発明に係る暗視装置の別の実施形態として、図５及び図６に示すような実施形態２がある。実施形態２は、２組のレンズ群及び感光チップが設けられている点において、実施形態１と主に相違している。実施形態１は、単眼式暗視装置とみなしてよいが、実施形態２は、第１感光チップ、第２感光チップ、第１レンズ群２０１、第２レンズ群２０５、第１ディスプレイ２０２、第２ディスプレイ２０６、第３ディスプレイ２０７、画像処理システム、制御システム及び補助照明モジュール２０３を備える両眼式暗視装置を提供する。第１感光チップ、第２感光チップ、画像処理システム及び制御システムは、暗視装置の本体２０４内に収容されている。
【００２５】
実施形態２において、第１感光チップ、第１レンズ群、第１ディスプレイ、画像処理システム及び補助照明モジュールについての説明は、実施形態１を参照されたい。第２感光チップ、第２レンズ群及び第２ディスプレイについての説明は、第１感光チップ、第１レンズ群及び第１ディスプレイと同様である。第３ディスプレイは、ステレオディスプレイであり、第１感光チップ及び第２感光チップによって収集された画像をステレオ画像に合成し且つ表示するために用いられる。実施形態２における制御システムは、実施形態１で説明した機能の他、第１感光チップ及び第２感光チップの結像範囲を同期させて調整し、三次元（３Ｄ）結像に関連する計算及び制御機能を行うためにさらに用いられる。実施形態２における暗視装置は、２Ｄ及び３Ｄという２セットのディスプレイを有するため、２つの異なる使用モードを有する。即ち、ヘッドセットモード及びハンドヘルドモードを有する。ヘッドセットモードでは、制御システムにより、第１ディスプレイ及び第２ディスプレイがオンとなり、第３ディスプレイがオフとなる。この場合、暗視装置（暗視装置は、ヘッドギアと同様の形状を有してよい）は、使用者の頭部に装着されてよい。ユーザは第３ディスプレイを持ち上げ、両目で第１ディスプレイ及び第２ディスプレイをそれぞれ看視すると、ステレオ画像が両目の視覚によって生成される。このようなモードは、野外又は水中活動に用いられてよい。ハンドヘルドモードでは、ユーザは第３ディスプレイを降ろすと、制御システムにより、第１ディスプレイ及び第２ディスプレイがオフになり、第３ディスプレイがオンとなって３Ｄ画像が直接表示される。
【００２６】
別の実施形態として、２つの二次元ディスプレイのみが配置され、ステレオ（ｓｔｅｒｅｏ）ディスプレイは省略されてよい。２つの二次元ディスプレイは、第１感光チップ及び第２感光チップによって収集された画像をそれぞれ表示するために用いられる。この場合、暗視装置は、異なる使用方法（即ち、ヘッドセット式での使用及びハンドヘルド式での使用）を有してもよい。別の実施形態として、第１感光チップ及び第２感光チップによって収集された画像をステレオ画像に合成し且つ表示するために用いられるステレオディスプレイのみが配置されてもよい。
【００２７】
暗視装置の使用価値を拡大するために、好ましくは、制御システムは、空間計算機能をさらに有する。即ち、第１感光チップ及び第２感光チップによって収集された画像同士の関係に基づいて、暗視装置に対する像点（ｉｍａｇｅ  ｐｏｉｎｔ）の空間的位置を計算するために用いられる。さらに好ましくは、暗視装置は、例えばＧＰＳ測位モジュールのような、暗視装置自身の位置情報を取得するための衛星測位モジュールをさらに備えてよい。制御システムは、暗視装置自身の位置情報及び暗視装置に対する像点の空間的位置に基づいて、画像ポイントの位置情報を計算するためにさらに用いられる。三次元測距と衛星測位とを組み合わせることにより、暗視装置を介して観測対象の位置座標を遠隔測定することができ、これにより、例えば、航空写真、地図マーキング、野外救助及び空挺等の幅広い利用価値を有する。
【００２８】
実施形態２における暗視装置は、記憶モジュール及び通信モジュール等の拡張機能を同様に有してよく、ここでは、説明を省略する。
【００２９】
＜実施形態３＞
本発明に係る暗視装置の別の実施形態は、図７を参照されたい。実施形態１との相違点として、外付けの望遠鏡レンズを有することである。実施形態３における暗視装置は、第１感光チップ、第１レンズ群３０１、第１ディスプレイ（不図示）、画像処理システム、制御システム、補助照明モジュール３０３、接続スリーブ３０８及び望遠鏡レンズ３０９を備えている。第１感光チップ、画像処理システム及び制御システムは、暗視装置の本体３０４内に収容されている。
【００３０】
実施形態３において、第１感光チップ、第１レンズ群、第１ディスプレイ、画像処理システム、制御システム及び補助照明モジュールに関連する説明について、実施形態１を参照されたい。接続スリーブ３０８は、ゴム又はプラスチックで形成されてよく、望遠鏡レンズ３０９を第１レンズ群に接続させてズーム倍率を増加させるために用いられる。接続スリーブ３０８の望遠鏡レンズ３０９と接続された端部は、異なる仕様又は異なる用途の望遠鏡レンズを第１レンズ群に接続するために異なる寸法であってよく、これにより、暗視装置の使用範囲が拡大される。用いられる望遠鏡のレンズは、通常望遠鏡、天体望遠鏡又は照準望遠鏡であってよく、夜間での照準補助だけでなく、日中での照準補助にも用いられてよい。実施形態３において、第１レンズ群は、望遠鏡レンズが接続された後のフォーカス精度の要件を満たすために、高精度なオートフォーカス機能を有することが好ましい。多面体超音波モータで駆動されるオートフォーカスは、このようなニーズを満たすことができる。
【００３１】
実施形態３における暗視装置は、レーザ距離計をさらに備えることがさらに好ましい。レーザ距離計のレーザ放射導管３１０は、望遠鏡レンズ内に配置され、レーザの光軸は、望遠鏡レンズの光軸に平行である。レーザ距離計は、画像の中心点と暗視装置との間の距離を測定するために用いられる。レーザ距離計のレーザ検出器は、暗視装置の本体内に配置されてよい。レーザ放射導管から放射されたレーザは、照準点をマーキングし、目標物体で反射した後、レーザ検出器によって検出される。暗視装置の制御システムは、レーザの放出と受信との時間差に基づいて、暗視装置とレーザによってマーキングされた照準点との間の距離を計算することができる。一部の用途では、目標距離を知ることで軌道の計算が容易になる。
【００３２】
説明すべきなのは、実施形態３における暗視装置の外付け望遠鏡レンズ及びレーザ距離計は、実施形態２における暗視装置にも使用可能だということである。その際、単眼接続スリーブを両眼接続スリーブに変更すればよい（レーザ距離計は、１つのみ配置されてよい）。これにより、両眼暗視装置のズーム倍率及び望遠距離が拡張され、さらに、両眼暗視装置とレーザ距離計とを組み合わせることにより、観測点の位置及び距離をより良好に確定することができる。
【００３３】
以上、具体的な例を用いて本発明の原理及び実施形態について詳述したが、上記の実施形態は、本発明の理解を深めるためのものにすぎず、本発明を限定するものではない。本発明に係る暗視装置は、例えば、通常暗視鏡、照準暗視鏡、消防用暗視鏡、採鉱用暗視鏡及び軍用暗視器等として用いられ、様々な異なる形態及び用途が設定されてよい。当業者は、本発明の思想に基づいて上記の実施形態を変更することができる。
【図１】
0006311067.tif 000002
【図２】
0006311067.tif 000003
【図３】
0006311067.tif 000004
【図４】
0006311067.tif 000005
【図５】
0006311067.tif 000006
【図６】
0006311067.tif 000007
【図７】
0006311067.tif 000008